(57)【要約】      （修正有）【課題】内部で各種眼科用レンズを重合合成する装置であって、対応の凹状及び凸状成形型面の周囲を囲むリングを含む前方湾曲成形型及び底部湾曲成形型を備える鋳造カップ組立品の提供。【解決手段】鋳造カップが組立てられる時、凹状の前方湾曲成形型の周囲にある第１のリングと、凸状の底部湾曲成形型の周囲にある第２のリングがそれぞれのエッジに沿って互いに接触し、インターロック式機能を確立することにより、偏心及び傾きを最小化し、それによって、エッジ欠陥を低減させる鋳造カップ組立品。【選択図】図２Ａ
2014193600.tif 000002
【特許請求の範囲】
【請求項１】
眼科用装置を成形するための鋳造カップ組立品であって、
前方湾曲成形型であって、
平らな上面により包囲され、かつこれと隣接する周辺部を有する、前記前方湾曲成形型の表側上にある凹状成形型面と、
前記凹状成形型面の周囲を囲み、かつ前記平らな上面から前記周辺部の上に延びる第１のリングであって、前記平らな上面が前記第１のリング内にある、第１のリングと、を含む、前方湾曲成形型と、
底部湾曲成形型であって、
底面によって包囲される周辺部を有する、前記底部湾曲成形型の底部側上の凸状成形型面と、
前記凸状成形型面の周囲を囲み、かつ前記底面から前記周辺部を超えて延びる第２のリングと、を含む、底部湾曲成形型と、を含み、
前記第１のリングが第１の半径を有し、前記第２のリングが第２の半径を有し、前記第１及び第２の半径が異なり、かつ前記底部湾曲成形型が前記前方湾曲成形型上に配置される時、前記第１のリングの第１のエッジが前記第２のリングの第２のエッジに接触するように、噛み合うよう構成される、組立品。
【請求項２】
前記凹状成形型面及び凸状成形型面が、異なる曲率を有し、前記底部湾曲成形型が前記前方湾曲成形型上に配置される時、ストッパが前記凹状成形型面と凸状成形型面との間の接触点によって画定されて、前記凹状成形型面と凸状成形型面との間の容積を確立する、請求項１に記載の組立品。
【請求項３】
前記底部湾曲成形型が前記前方湾曲成形型の上に配置され、かつ前記ストッパが前記凹状成形型面と凸状成形型面との間の前記容積を確立した時、前記第２のリングが、第１のギャップにより前記平らな上面から間隔を置いて存在する終端を有する、請求項２に記載の組立品。
【請求項４】
前記凸状成形型面の前記周辺部を包囲する前記底面が、平面的領域を含み、前記平面的領域が、前記周辺部と前記第２のリングとの間にある、請求項２に記載の組立品。
【請求項５】
前記底部湾曲成形型が前記前方湾曲成形型の上に配置され、前記ストッパが前記凹状成形型面と凸状成形型面との間の前記容積を確立した時、前記第１のリングが、第２のギャップにより前記平面的領域から間隔を置いて存在する終端を有する、請求項４に記載の組立品。
【請求項６】
前記第１のギャップが６．５マイクロメートル未満である、請求項３に記載の組立品。
【請求項７】
前記第２のギャップが６．５マイクロメートル未満である、請求項５に記載の組立品。
【請求項８】
前記第１のリングの前記第１のエッジが複数のうねを含み、前記第２のリングの前記第２のエッジが、前記底部湾曲成形型が前記前方湾曲成形型の上に配置される時、前記うねの少なくとも１つに噛み合う、少なくとも１つの突起部を含む、請求項１に記載の組立品。
【請求項９】
前記第２のリングの前記第２のエッジが複数のうねを含み、前記第１のリングの前記第１のエッジが、前記底部湾曲成形型が前記前方湾曲成形型の上に配置される時、前記うねの少なくとも１つに噛み合う、少なくとも１つの突起部を含む、請求項１に記載の組立品。
【請求項１０】
前記第１のエッジと第２のエッジが平行である、請求項１に記載の組立品。
【請求項１１】
前記底部湾曲成形型が前記前方湾曲成形型の上に配置される時、前記第１のリングの前記第１のエッジと前記第２のリングの前記第２のエッジが、締まりばめを形成する、請求項１に記載の組立品。
【請求項１２】
前記前方湾曲成形型が、前記凹状成形型面の周囲を囲み、かつ前記平らな上面から前記周辺部の上に延びる第２の連続リングを更に含み、前記第２の連続リングが前記第１のリング内にある、請求項１に記載の組立品。
【請求項１３】
前記底部湾曲成形型が前記前方湾曲成形型の上に配置され、かつ前記ストッパが前記凹状成形型面と凸状成形型面との間の前記容積を確立した時、前記第１のリングの前記第１の半径と前記第２のリングの前記第２の半径が、３０マイクロメートル以下の偏心を有する、請求項２に記載の組立品。
【請求項１４】
前記底部湾曲成形型が前記前方湾曲成形型の上に配置され、前記ストッパが前記凹状成形型面と凸状成形型面との間の前記容積を確立した時、前記第１のリングの前記第１の半径と前記第２のリングの前記第２の半径が、１５マイクロメートル以下の偏心を有する、請求項２に記載の組立品。
【請求項１５】
前記底部湾曲成形型が前記前方湾曲成形型の上に配置され、前記ストッパが前記凹状成形型面と凸状成形型面との間の前記容積を確立した時、前記第１のリングの前記第１の半径と前記第２のリングの前記第２の半径が、５マイクロメートル以下の偏心を有する、請求項２に記載の組立品。
【請求項１６】
前記底部湾曲成形型が前記前方湾曲成形型の上に配置され、前記ストッパが前記凹状成形型面と凸状成形型面との間の前記容積を確立した時、前記前方湾曲成形型及び底部湾曲成形型が、５度以下の範囲内で平行である、請求項２に記載の組立品。
【請求項１７】
前記底部湾曲成形型が前記前方湾曲成形型の上に配置され、前記ストッパが前記凹状成形型面と凸状成形型面との間の前記容積を確立した時、前記前方湾曲成形型及び底部湾曲成形型が、１度以下の範囲内で平行である、請求項２に記載の組立品。
【請求項１８】
眼科用装置を成形するための鋳造カップ組立品であって、
前方湾曲成形型であって、
平らな上面により包囲され、かつこれと隣接する周辺部を有する、前記前方湾曲成形型の表側上にある凹状成形型面と、
前記凹状成形型面の周囲を囲み、かつ前記平らな上面から前記周辺部の上に延びる第１のリングであって、前記平らな上面が前記第１のリング内にある、第１のリングと、を含む、前方湾曲成形型と、
底部湾曲成形型であって、
底面によって包囲される周辺部を有する、前記底部湾曲成形型の底部側上の凸状成形型面であって、前記底面が、凸状成形型面と隣接し、前記底部と前記第２のリングとの間にある非平坦面を含む、凸状成形型面と、
前記凸状成形型面の周囲を囲み、前記底面から前記周辺部を超えて延びる第２のリングと、を含む、底部湾曲成形型と、を含み、
前記第１のリングが第１の半径を有し、前記第２のリングが第２の半径を有し、前記第１及び第２の半径が異なり、前記底部湾曲成形型が前記前方湾曲成形型上に配置される時、前記第１のリングの第１のエッジが前記第２のリングの第２のエッジに接触するように、噛み合うよう構成される、組立品。
【請求項１９】
鋳造カップ組立品を形成するための方法であって、
前方湾曲成形型を旋盤で精密旋盤加工する工程であって、前記前方湾曲成形型が、平らな上面によって包囲され、かつこれと隣接する曲面を有する、前記前方湾曲成形型の表側上にある凹状成形型面を含む、工程と、
第１のリングが前記凹状成形型面の周囲を囲み、かつ前記平らな上面から前記曲面の上に延びるように、前記前方湾曲成形型を精密旋盤加工する前記工程の間に、前記前方湾曲成形型内で前記第１のリングを精密旋盤加工する工程であって、前記平らな上面が前記第１のリング内にあり、前記前方湾曲成形型を旋盤加工する前記工程と前記第１のリングを旋盤加工する前記工程が、前記前方湾曲成形型を前記旋盤から取り外すことなく実行される、工程と、
底部湾曲成形型の底部側上の凸状成形型面を含む前記底部湾曲成形型を精密旋盤加工する工程であって、前記凸状成形型面が、底面によって包囲される底部を有する、工程と、
第２のリングが前記凸状成形型面の周囲を囲み、かつ前記底面から前記底部を超えて延びるように、前記底部湾曲成形型を精密旋盤加工する前記工程の間に、前記底部湾曲成形型内で前記第２のリングを精密旋盤加工する工程であって、前記非平坦面が前記第２のリング内にあり、前記底部湾曲成形型を旋盤加工する前記工程と前記第２のリングを旋盤加工する前記工程が、前記底部湾曲成形型を前記旋盤から取り外すことなく実行される、工程と、を含む方法。
【請求項２０】
前記前方湾曲成形型を精密旋盤加工する前記工程と、前記第１のリングを精密旋盤加工する前記工程が、ダイヤモンドポイント旋削によって実行される、請求項１９に記載の方法。
【発明の詳細な説明】
【技術分野】
【０００１】
本発明は、一実施形態において、コンタクトレンズなどの眼科用装置を成形するための鋳造カップ組立品に関する。
【背景技術】
【０００２】
コンタクトレンズ、外科用レンズ、眼内レンズ等を含める多くの眼科用装置は、鋳造カップ組立品内で重合反応を実行することによって製造されることが多い。鋳造カップ組立品は、目に載置される装置の一部を成形する底部湾曲成形型と、目から離れて面している装置の一部を成形する前方湾曲成形型とを含む。１つ以上の重合可能なモノマー及び他の構成成分を含有する反応混合物が、前面湾曲成形型内に配置される。その後、底部湾曲成形型が前方湾曲成形型に押し付けられ、反応混合物が、２つの成形型の間で画定される容積の形状を取るために押し込まれる。適切に配置された後に、反応混合物は重合条件（例えば、光重合又は他の好適な技術）にかけられる。得られたポリマーが鋳造カップ組立品から取り外され、重合後処理（例えば、濯ぎ、水和等）にかけられ、完成した眼科用装置を提供する。この重合後処理中に、レンズの慎重な検査で、相当数のレンズが欠陥を含むことを確認することが多い。
【発明の概要】
【発明が解決しようとする課題】
【０００３】
欠陥としては、レンズ内の穴、エッジにおける引裂、眼科用装置の周辺の過剰なポリマーのリングの存在、及び他の類似した欠陥などの多様な製造エラーが挙げられる。したがって、これら欠陥の発生を低減する、眼科装置を提供するための改善された方法が所望される。
【課題を解決するための手段】
【０００４】
本明細書で開示されるものは、対応の凹状及び凸状の成形型面の周囲を囲むリングを含む、精密に製造された前方湾曲成形型及び底部湾曲成形型を備える鋳造カップ組立品である。鋳造カップが組立てられる時、リングを高精度で整列させ、凹状及び凸状成形型面の偏心及び傾きを防止し、これが今度はエッジ欠陥を低減する。
【０００５】
鋳造カップ組立品のいくつかの開示された実施形態の実行において実現され得る利点は、鋳造カップ組立品の凹状及び凸状の成形型面の偏心及び傾きを最小化することによるエッジ欠陥の低減である。
【０００６】
１つの例示的な実施形態において、鋳造カップ組立品が開示される。鋳造カップ組立品は、リングによって周囲を囲まれた凹状成形型面を備える前方湾曲成形型を含む。組立品は、凸状成形型表面を備える底部湾曲成形型と、第２のリングとを更に含む。前方湾曲成形型が底部湾曲成形型に噛み合わされる時、対応のリングのエッジが噛み合い、成形型面の偏心及び傾きを最小化する。
【０００７】
別の例示的な実施形態において、鋳造カップ組立品が開示される。鋳造カップ組立品は、リングによって周囲を囲まれた凹状成形型面を備える前方湾曲成形型を含む。組立品は、凸状成形型面を備えた底部湾曲成形型と、第２のリングとを更に含む。底部湾曲型は、凸状成形型面と連続している非平坦表面を有する。非平坦表面は、凸状成形型面の底部と第２のリングとの間にある。前方湾曲成形型が底部湾曲成形型に噛み合う時、対応のリングのエッジが噛み合う。
【０００８】
別の例示的な実施形態では、鋳造カップ組立品を成形する方法が開示される。方法は、鋳造カップ組立品を精密旋盤加工する工程を含む。
【図面の簡単な説明】
【０００９】
本発明は、添付図面を参照して開示される。
【図１Ａ】それぞれ組立て前の状態と組立てられた状態で示した先行技術の鋳造カップ組立品の選択部分の側面図である。
【図１Ｂ】それぞれ組立て前の状態と組立てられた状態で示した先行技術の鋳造カップ組立品の選択部分の側面図である。
【図２Ａ】前方湾曲成形型と底部湾曲成形型との間の偏心を示す鋳造カップ組立品の平面図である。
【図２Ｂ】鋳造カップ組立品の断面図である。
【図２Ｃ】偏心をエッジ欠陥に相関させるグラフである。
【図２Ｄ】前方湾曲成形型と底部湾曲成形型との間の傾きを示す断面図である。
【図３Ａ】それぞれ組立前の状態と組立てられた状態で示した鋳造カップ組立品の選択部分の側面図である。
【図３Ｂ】それぞれ組立前の状態と組立てられた状態で示した鋳造カップ組立品の選択部分の側面図である。
【図４Ａ】それぞれ前方湾曲成形型及び底部湾曲成形型の平面図である。
【図４Ｂ】それぞれ前方湾曲成形型及び底部湾曲成形型の平面図である。
【図４Ｃ】底部湾曲成形型及び前方湾曲成形型の整列を示す、鋳造カップ組立品の平面図である。
【図５Ａ】それぞれが底部湾曲成形型及び前方湾曲成形型上に位置する２つの噛み合ったリングの側面図である。
【図５Ｂ】それぞれが底部湾曲成形型及び前方湾曲成形型上に位置する２つの噛み合ったリングの側面図である。
【図６】第１及び第２の連続リングを示す、前方湾曲成形型の選択部分の側面図である。
【図７】底部湾曲成形型が非平坦面を含む時の、前方湾曲成形型及び底部湾曲成形型の選択部分の側面図である。
【００１０】
対応する参照符合は、複数の図面を通じて対応する部材を示す。本明細書に提示された例は、本発明の一部の実施形態を説明しているが、いかなる形においても、本発明の範囲を制限するものとして解釈すべきではない。
【発明を実施するための形態】
【００１１】
眼科用装置におけるエッジ欠陥の発生に影響を与えるいくつかの因子として、その中で装置が硬化される底部湾曲成形型及び前方湾曲成形型の相対的偏心及び／又は傾きが挙げられる。図１Ａ及び１Ｂに参照されるように、先行技術の鋳造カップ組立品１００を示す。鋳造カップ組立品１００は、容積１０６を画定するよう噛み合う前方湾曲成形型１０２と底部湾曲成形型１０４とを含む。眼科用装置は、この容積１０６内で硬化される。実際には、これら成形型部分は、正確に中心に合わせられず及び／又は傾けられることが多い。
【００１２】
図２Ａは、凹状成形型２００（点２０６のまわりで中心合わせされた）内に配置された凸状成形型２０４（点２０２のまわりで中心合わせされた）の偏心を示す概略平面図である。図２Ａにおいて、中心点は、偏心２０８によりオフセットされ、成形型の片側の距離２１０を成形型の他方側の距離２１２よりも小さく生じさせる。反応混合物が硬化後に、非水和であるが完全に硬化したレンズは、エポキシ混合物中で浸漬され、エポキシが硬化し、レンズを定位置にロックする。エポキシ及びロックされたレンズは、その後、半分にスライスされ、研磨され、顕微鏡下で欠陥について分析される。２つの成形型が中心に合わせられなかった状況においては、エッジ欠陥（チップ、引裂、リング等）はより一般的であった。図２Ｂは、成形型部分が正確に中心合わせされていないことを示す断面図を提供する。図２Ｂにおける偏心のために、容積１０６は、適切に密閉されない。距離２１２を参照されたい。この不適切な密閉は、得られたレンズが型から取り出される時、エッジ欠陥に移行する。
【００１３】
図２Ｃは、特定の偏心実験の結果を示すグラフである。図２Ｃのグラフは、偏心（マイクロメートルの単位で）をエッジ欠陥に相関させる。第１の例では、高いエッジ欠陥を有するレンズを、第１の側（２１４）と第２の側（２１６）との間の距離に関して測定した。図２Ｃの実施形態では、約１０マイクロメートルのギャップが存在し、偏心を示している。第２の例では、低いエッジ欠陥を有するレンズを、同様な様式（第１の側２１８、第２の側２２０）で測定し、約５マイクロメートルの偏心を示している。いずれの特定の理論にも束縛されようとするものではないが、出願者は、凹状及び凸状成形型面の間の低い偏心は、成形型面の間の容積が適切に密閉されるレンズのものに相当する低減されたエッジ欠陥をもたらすと信じる。出願者は、密閉の欠陥は、成形型部分の偏心及び／又は傾きによって引き起こされることを示唆する。
【００１４】
図２Ｄは、凹状成形型２０４内に配置された凸状成形型２００の傾きを示す概略的平面図を提供する。距離２１２の形成によって示すように、容積１０６は適切に密閉されていない。かかる不適切な密閉に関連するエッジ欠陥は、依然として問題である。
【００１５】
図３Ａ及び３Ｂは、底部湾曲成形型３０４が前方湾曲成形型３０２上に配置される前（図３Ａ）及び配置後（図３Ｂ）に示した鋳造カップ組立品３００の一部分の側面図である。
【００１６】
前方湾曲成形型３０２は、眼科用装置の前面部分を成形する凹状成形型面３０６を含む。凹状成形面３０６の周辺部３１０は、底部湾曲成形型３０４の凸状成形型面３１６を受容するようサイズ設定されている。前方湾曲成形型３０２は、周辺部３１０と隣接する平らな上面３１２を更に含む。第１のリング３１４は、凹状成形型面３０６に周囲を囲まれ、かつ平らな上面３１２の表側から周囲３１０の上に延びる。一実施形態では、リングは連続リングである。リングは、前方湾曲成形型３０２のナイフエッジに対して精密に製造される。第１のリング３１４は、以下に更に詳細に記載されるインターロック式機能の第１の半部分を提供する。このインターロック式機能は、凹状成形型面３０６と凸状成形型面３１６との偏心及び傾きを最小化することに役立つ。
【００１７】
底部湾曲成形型３０４は、目に接触する眼科用レンズの部分を成形する凸状成形型面３１６を含む。凸状成形型面３１６の周辺部３２０は、組立品３００が周辺部３２０と隣接する、近接の平面的領域３３０で形成される時、外側周辺部３１０にちょうど配置されるようサイズ設定されている。凹状成形型面３０６と凸状成形型面３１６の曲率は、底部湾曲成形型３０４が前方湾曲成形型３０２上に配置される時、容積３２８を画定するストッパ３２６が作り出されるように、異なる。容積３２８の形状は、得られる眼科用レンズの特定の物理的パラメータを決定する。底部湾曲成形型３０４は、一実施形態では、連続リングである第２のリング３２４を含む。第２のリングは、底部湾曲成形型の光学面の軸に対して精密に製造される。第２のリング３２４は、凸状成形型面３１６に周囲を囲まれ、かつ底面３２２から周辺部３２０を超えて延びる。第２のリング３２４は、インターロック式機能の第２の半部分を提供する。
【００１８】
眼科用装置の製造で使用されるいくつかの機械装置は、成形型部分を自動的に所定の位置に置くよう試行する。これら機械装置は、やや複雑である。インターロック式機能は、この複雑性を機械装置から成形型部分に移す。得られる成形型部分は、次には、低い頻度の欠陥で、かつコスト的に有効な方法で眼科用装置を組立てるのに使用される。インターロック式機能によってもたらされる自己調心型及び自己ロック型機能のために、１つの眼科用装置から次のものまで少しの変化しか無いように、ストッパ３２６が信頼のおける均一な様式で確立される。
【００１９】
図４Ａ及び４Ｂを参照されるように、２つのリングの半径が示される。図４Ａは、第１のリング３１４の第１の半径４００を示す、前方湾曲成形型３０２の表部を図示する。図４Ｂは、図４Ｂにおいては連続的である第２のリング３２４の第２の半径を示す、底部湾曲成形型３０４を図示する。図示していないが、別の実施形態では、リングの一方又は双方が空間によって離間された複数のセグメントに分けられている。図１Ａ及び図４Ｂで図示される実施形態では、第１のリング３１４の第１の半径４００は、第２のリング３２４の第２の半径４０２よりも小さく、そのため鋳造カップ組立品３００が組立てられる時、第１のリング３１４を第２のリング３２４の内側にあるようする。図４Ｃを参照されたい。図４Ｃに示すように、鋳造カップ組立品３００が組立てられる時、平面的領域３３０及び平らな上面３１２は垂直に積み重ねられる。図示しないが、別の実施形態では、第１の半径４００は、第２の半径４０２よりも大きく、これにより、鋳造カップ組立品３００が組立てられる時、第２のリング３２４は第１のリング３１４の内側にある。いずれかの実施形態において、この半径における差は、２つのリングがそれらのエッジに沿って互いに接触し、インターロック式機能を確立することを可能にする。図５Ａ及び５Ｂを参照されたい。このインターロック式機能は、凹状成形型面３０６と凸状成形型面３１６との間の偏心を最小限にとどめ、これによって、得られる眼科用装置のエッジ欠陥を低減する。
【００２０】
図５Ａは、第１のリング３１４が第２のリング３２４内にある例示的な実施形態を図示する。第１のリング３１４は、第２のリング３２４の第２のエッジ５０２に噛み合うよう構成される第１のエッジ５０４を有する。図５Ａの例示的な実施形態では、各リングの終端（例えば、第２のリング３２４の終端５１２）は、他のリングの支持物（例えば、平らな上面３１２）に接触せず、ストッパとしては機能しない。図５Ａでは、第２のリング３２４の終端５１２は、ギャップ５０６によって、前方湾曲成形型３０２の平らな上面３１２から間隔を置いて存在する。同様に、第１のリング３１４の終端５１４は、ギャップ５１６によって、底部湾曲成形型３０４の平面的領域３３０から間隔を置いて存在する。第１のエッジ５０４と第２のエッジ５０２の噛み合いが、これら２つのエッジ間の締まりばめ５１８を形成し、そうして凹状成形型面３０６と凸状成形型面３１６との偏心を防止する。一実施形態では、第１のリング３１４と第２のリング３２４は、第１のエッジ５０４と第２のエッジ５０２が平行であるように円筒形状を有する。これが、いずれかのリングがストッパとして機能することを防止し、ストッパ３２６がナイフエッジで適切に確立されることを保証する。
【００２１】
ストッパ３２６が適切に確立されかつ容積３２８が画定される時、インターロック式機能は、偏心及び傾きの双方を最小限にとどめる。平行な第１のエッジ５０４と第２のエッジ５０２は、締まりばめ５１８を形成することにより、偏心を最小化する。ギャップ５０６は、傾きを最小化する。成形型部分の１つが傾き始めるならば、ギャップ５０６（成形型部分の片側又は他方側上の）は、平らな上面３１２に接触し、底に達するであろう。したがって、傾きはギャップ５０６を超えることはできない。成形型部分を精密に製造することによって、ギャップ５０６の大きさが制御されることができ、次に、これが許容される傾きの量を制御する。一実施形態では、ギャップ５０６は、６．５マイクロメートル未満である。
【００２２】
同様に、ストッパ３２６が適切に確立されかつ容積３２８が画定される時、インターロック式機能はまた、容積３２８の外に押し出される過剰な反応混合物の使用を最小限にとどめることも可能にする。容積３２８は明確に決まっているために、反応混合物のより制御された容積が使用され得る。いかなる過剰な反応混合物も過剰なモノマーの薄膜を形成し、これはその後の重合後処理の間に除去される。これとは対照的に、多くの先行技術は、除去するために広範囲な重合後処理を必要とするかなり多くの過剰なモノマーを有する。
【００２３】
図５Ｂは、第２の例示的な実施形態を図示し、ここでは第１のエッジ５０４と第２のエッジ５０２が、第１及び第２の溝との整合をもたらすよう改善されている。図５Ｂの実施形態では、第１のリング３１４は第１の溝５０８を有し、第２のリング３２４は第２の溝５２０を有する。第１の溝５０８上の突起部は、第２の溝５２０上の突起部に対して移動し、ラチェットに類似したロック機構を提供する。かかるインターロック式機能は、位置をロックすることの有限数を提供する。図５Ｂでは、第１の溝５０８と第２の溝５２０は、双方が複数のトラックを含む。他の実施形態では、第１の溝５０８又は第２の溝５２０は、対向するリング上の対応する溝に噛み合う単一の突起を有する。溝は、例えば、対応の成形型を形成する旋盤上の送り速度を増加することにより形成されてもよい。これは、小さいピッチが形成されることを可能にする。
【００２４】
凹状成形型面３０６及び凸状成形型面３１６に周囲を囲まれるインターロック式機能を提供することにより、これら面の間の偏心が最小化され得る。したがって、かかる偏心に関連するエッジ欠陥は低減される。一実施形態では、偏心は約３０マイクロメートル未満である。別の実施形態では、偏心は約１５マイクロメートル未満である。さらに別の実施形態では、偏心は、約５マイクロメートル未満である。加えて、インターロック式機能はまた、前方湾曲成形型３０２と底部湾曲成形型３０４を平行の向きで維持することによって傾きも防止し、これが更に欠陥を低減する。一実施形態では、２つの成形型は、約１０度の範囲内で平行である。別の実施形態では、２つの成形型は、約５度の範囲内で平行である。別の実施形態では、２つの成形型は、約３度の範囲内で平行である。更に別の実施形態では、２つの成形型は、約１度の範囲内で平行である。
【００２５】
図６は、周辺部６１０を備える凹状成形型面６０６を含む前方湾曲成形型６０２のセクションの側面図である。平らな上面６１２はまた、平らな上面６１２から周囲６１０の上に延びる、凹状成形型面６０６の周囲を囲む第１のリング６１４を有するものとして示される。前方湾曲成形型６０２は、凹状成形型面６０６内に配置された反応混合物を封じ込めるためのバリアとして機能する第２の連続リング６００を更に備える。底部湾曲成形型が前方湾曲成形型３０２に噛み合う時、反応混合物の容積は制限され、過剰の流体は第２の連続リング６００に対して押される。第２の連続リング６００の存在は、反応混合物の流れを制限することによって、得られる眼科用レンズにおけるリング欠陥の形成を制御するのに役立つ。一実施形態では、第２の連続リング６００は、第２の連続リング６００が底部湾曲成形型に付着するのを可能にするために改善された、対応する底部湾曲成形型の表面に接触する。この表面は、型から取り出す際に第２の連続リング６００を底部湾曲成形型に付着させるよう改善されてもよい（例えば、リング類、粗面処理、表面エネルギー修正等）。
【００２６】
図７は、別の例示的な組立品の側面図である。図７の底部湾曲成形型７０４は、凸状成形型面７１６の周辺部７２０と、そこから第２のリング７２４が伸びる底面７２２との間に配置された非平坦面７００を含む。非平坦面７００は、第１のリング７１４が配置されるための空間７０５を提供する垂直スペーサ７０３によって、底面７２２に結合する。非平坦面７００は、重合化材料の付着を容易にする大きな表面積を提供する。非平坦面７００は、平らな上面７１２の上に垂直に積み重なり、これが重合化材料の放出を容易にする。反応混合物が硬化され、前方湾曲成形型及び底部湾曲成形型が分離される時、過剰のポリマーのリングは、非平坦面７００に付着しやすく、硬化眼科用レンズから分離されやすい。過剰ポリマーの非平坦面７００への付着による過剰ポリマーのリングの除去は、エッジ欠陥の発生を更に最小にとどめることに役立つ。
【００２７】
成形型は、例えば、ダイヤモンドポイント旋削などの精密旋盤技術により形成され得る。一実施形態では、インターロック式機能のリングは、凸状及び凹状成形型面の光学面の形成と、同一のツーリング工程におけるダイヤモンドポイント旋削によって、形成される（すなわち、成形型は、プロセス中に旋盤から取り外されない）。このことは、対応の成形型面の軸及び直交平面に対するロック機能の同心性を確実なものとする。一実施形態では、成形型部分の光学面、並びにインターロック式機能を形成する付随するリングは、双方共に単一のパスで精密に製造される。例えば、ラスを備えた単一のパスは、光学面及びインターロック式機能の双方を形成することができる。
【００２８】
本発明を特定の実施形態に照らして説明したが、当業者であれば、本開示の範囲を逸脱することなく、特定の状況に適合するように様々な変更を行うことが可能であり、発明の要素を均等物に置き換えることが可能であることは理解されるであろう。したがって、特許請求の範囲は、開示される特定の実施形態に限定されるものではなく、付属の請求項の範囲及び趣旨に包含されるすべての実施形態を含むものである。
【００２９】
〔実施の態様〕
（１）  眼科用装置を成形するための鋳造カップ組立品であって、
前方湾曲成形型であって、
平らな上面により包囲され、かつこれと隣接する周辺部を有する、前記前方湾曲成形型の表側上にある凹状成形型面と、
前記凹状成形型面の周囲を囲み、かつ前記平らな上面から前記周辺部の上に延びる第１のリングであって、前記平らな上面が前記第１のリング内にある、第１のリングと、を含む、前方湾曲成形型と、
底部湾曲成形型であって、
底面によって包囲される周辺部を有する、前記底部湾曲成形型の底部側上の凸状成形型面と、
前記凸状成形型面の周囲を囲み、かつ前記底面から前記周辺部を超えて延びる第２のリングと、を含む、底部湾曲成形型と、を含み、
前記第１のリングが第１の半径を有し、前記第２のリングが第２の半径を有し、前記第１及び第２の半径が異なり、かつ前記底部湾曲成形型が前記前方湾曲成形型上に配置される時、前記第１のリングの第１のエッジが前記第２のリングの第２のエッジに接触するように、噛み合うよう構成される、組立品。
（２）  前記凹状成形型面及び凸状成形型面が、異なる曲率を有し、前記底部湾曲成形型が前記前方湾曲成形型上に配置される時、ストッパが前記凹状成形型面と凸状成形型面との間の接触点によって画定されて、前記凹状成形型面と凸状成形型面との間の容積を確立する、実施態様１に記載の組立品。
（３）  前記底部湾曲成形型が前記前方湾曲成形型の上に配置され、かつ前記ストッパが前記凹状成形型面と凸状成形型面との間の前記容積を確立した時、前記第２のリングが、第１のギャップにより前記平らな上面から間隔を置いて存在する終端を有する、実施態様２に記載の組立品。
（４）  前記凸状成形型面の前記周辺部を包囲する前記底面が、平面的領域を含み、前記平面的領域が、前記周辺部と前記第２のリングとの間にある、実施態様２に記載の組立品。
（５）  前記底部湾曲成形型が前記前方湾曲成形型の上に配置され、前記ストッパが前記凹状成形型面と凸状成形型面との間の前記容積を確立した時、前記第１のリングが、第２のギャップにより前記平面的領域から間隔を置いて存在する終端を有する、実施態様４に記載の組立品。
【００３０】
（６）  前記第１のギャップが６．５マイクロメートル未満である、実施態様３に記載の組立品。
（７）  前記第２のギャップが６．５マイクロメートル未満である、実施態様５に記載の組立品。
（８）  前記第１のリングの前記第１のエッジが複数のうねを含み、前記第２のリングの前記第２のエッジが、前記底部湾曲成形型が前記前方湾曲成形型の上に配置される時、前記うねの少なくとも１つに噛み合う、少なくとも１つの突起部を含む、実施態様１に記載の組立品。
（９）  前記第２のリングの前記第２のエッジが複数のうねを含み、前記第１のリングの前記第１のエッジが、前記底部湾曲成形型が前記前方湾曲成形型の上に配置される時、前記うねの少なくとも１つに噛み合う、少なくとも１つの突起部を含む、実施態様１に記載の組立品。
（１０）  前記第１のエッジと第２のエッジが平行である、実施態様１に記載の組立品。
【００３１】
（１１）  前記底部湾曲成形型が前記前方湾曲成形型の上に配置される時、前記第１のリングの前記第１のエッジと前記第２のリングの前記第２のエッジが、締まりばめを形成する、実施態様１に記載の組立品。
（１２）  前記前方湾曲成形型が、前記凹状成形型面の周囲を囲み、かつ前記平らな上面から前記周辺部の上に延びる第２の連続リングを更に含み、前記第２の連続リングが前記第１のリング内にある、実施態様１に記載の組立品。
（１３）  前記底部湾曲成形型が前記前方湾曲成形型の上に配置され、かつ前記ストッパが前記凹状成形型面と凸状成形型面との間の前記容積を確立した時、前記第１のリングの前記第１の半径と前記第２のリングの前記第２の半径が、３０マイクロメートル以下の偏心を有する、実施態様２に記載の組立品。
（１４）  前記底部湾曲成形型が前記前方湾曲成形型の上に配置され、前記ストッパが前記凹状成形型面と凸状成形型面との間の前記容積を確立した時、前記第１のリングの前記第１の半径と前記第２のリングの前記第２の半径が、１５マイクロメートル以下の偏心を有する、実施態様２に記載の組立品。
（１５）  前記底部湾曲成形型が前記前方湾曲成形型の上に配置され、前記ストッパが前記凹状成形型面と凸状成形型面との間の前記容積を確立した時、前記第１のリングの前記第１の半径と前記第２のリングの前記第２の半径が、５マイクロメートル以下の偏心を有する、実施態様２に記載の組立品。
【００３２】
（１６）  前記底部湾曲成形型が前記前方湾曲成形型の上に配置され、前記ストッパが前記凹状成形型面と凸状成形型面との間の前記容積を確立した時、前記前方湾曲成形型及び底部湾曲成形型が、５度以下の範囲内で平行である、実施態様２に記載の組立品。
（１７）  前記底部湾曲成形型が前記前方湾曲成形型の上に配置され、前記ストッパが前記凹状成形型面と凸状成形型面との間の前記容積を確立した時、前記前方湾曲成形型及び底部湾曲成形型が、１度以下の範囲内で平行である、実施態様２に記載の組立品。
（１８）  眼科用装置を成形するための鋳造カップ組立品であって、
前方湾曲成形型であって、
平らな上面により包囲され、かつこれと隣接する周辺部を有する、前記前方湾曲成形型の表側上にある凹状成形型面と、
前記凹状成形型面の周囲を囲み、かつ前記平らな上面から前記周辺部の上に延びる第１のリングであって、前記平らな上面が前記第１のリング内にある、第１のリングと、を含む、前方湾曲成形型と、
底部湾曲成形型であって、
底面によって包囲される周辺部を有する、前記底部湾曲成形型の底部側上の凸状成形型面であって、前記底面が、凸状成形型面と隣接し、前記底部と前記第２のリングとの間にある非平坦面（textured surface）を含む、凸状成形型面と、
前記凸状成形型面の周囲を囲み、前記底面から前記周辺部を超えて延びる第２のリングと、を含む、底部湾曲成形型と、を含み、
前記第１のリングが第１の半径を有し、前記第２のリングが第２の半径を有し、前記第１及び第２の半径が異なり、前記底部湾曲成形型が前記前方湾曲成形型上に配置される時、前記第１のリングの第１のエッジが前記第２のリングの第２のエッジに接触するように、噛み合うよう構成される、組立品。
（１９）  鋳造カップ組立品を形成するための方法であって、
前方湾曲成形型を旋盤で精密旋盤加工する工程であって、前記前方湾曲成形型が、平らな上面によって包囲され、かつこれと隣接する曲面を有する、前記前方湾曲成形型の表側上にある凹状成形型面を含む、工程と、
第１のリングが前記凹状成形型面の周囲を囲み、かつ前記平らな上面から前記曲面の上に延びるように、前記前方湾曲成形型を精密旋盤加工する前記工程の間に、前記前方湾曲成形型内で前記第１のリングを精密旋盤加工する工程であって、前記平らな上面が前記第１のリング内にあり、前記前方湾曲成形型を旋盤加工する前記工程と前記第１のリングを旋盤加工する前記工程が、前記前方湾曲成形型を前記旋盤から取り外すことなく実行される、工程と、
底部湾曲成形型の底部側上の凸状成形型面を含む前記底部湾曲成形型を精密旋盤加工する工程であって、前記凸状成形型面が、底面によって包囲される底部を有する、工程と、
第２のリングが前記凸状成形型面の周囲を囲み、かつ前記底面から前記底部を超えて延びるように、前記底部湾曲成形型を精密旋盤加工する前記工程の間に、前記底部湾曲成形型内で前記第２のリングを精密旋盤加工する工程であって、前記非平坦面が前記第２のリング内にあり、前記底部湾曲成形型を旋盤加工する前記工程と前記第２のリングを旋盤加工する前記工程が、前記底部湾曲成形型を前記旋盤から取り外すことなく実行される、工程と、を含む方法。
（２０）  前記前方湾曲成形型を精密旋盤加工する前記工程と、前記第１のリングを精密旋盤加工する前記工程が、ダイヤモンドポイント旋削によって実行される、実施態様１９に記載の方法。
【図１Ａ】
2014193600.tif 000003
【図１Ｂ】
2014193600.tif 000004
【図２Ａ】
2014193600.tif 000005
【図２Ｂ】
2014193600.tif 000006
【図２Ｃ】
2014193600.tif 000007
【図２Ｄ】
2014193600.tif 000008
【図３Ａ】
2014193600.tif 000009
【図３Ｂ】
2014193600.tif 000010
【図４Ａ】
2014193600.tif 000011
【図４Ｂ】
2014193600.tif 000012
【図４Ｃ】
2014193600.tif 000013
【図５Ａ】
2014193600.tif 000014
【図５Ｂ】
2014193600.tif 000015
【図６】
2014193600.tif 000016
【図７】
2014193600.tif 000017
【外国語明細書】
2014193600000001.pdf